(57)【要約】【課題】犯罪者によるセンサ検知とその他の要因によるセンサ検知とを区別して異常を報知する。【解決手段】警備装置４は、警備領域Ｅへの侵入者を監視するセンサ２が異常を検知した場合に報知するものであり、警備領域Ｅに設置された電気機器の電気エネルギーの消費量を取得する取得部４ｂと、センサ２が異常を検知すると、所定期間の間において取得部４ｂにて取得した消費量の変化に基づき異常の緊急度を判定する判定部１２と、判定部１２にて緊急度が高いと判定した場合に、緊急度が高くない場合と区別して報知するための出力部として通信部４ｃ、表示部４ｄ、鳴動部４ｅを備える。【選択図】図２
2011180696.tif 000002
【特許請求の範囲】
【請求項１】
警備領域への侵入を監視するセンサが異常を検知した場合に報知する警備装置において、
前記警備領域に設置された電気機器の電気エネルギーの消費量を取得する取得部と、
前記センサが異常を検知すると、所定期間の間において前記取得部にて取得した消費量の変化に基づき前記異常の緊急度を判定する判定部と、
前記判定部にて緊急度が高いと判定した場合に、緊急度が高くない場合と区別して前記報知する出力部とを備えたことを特徴とする警備装置。
【請求項２】
前記判定部は、前記所定期間の間において前記取得部にて取得した消費量が、第１の所定量以上増加しない場合に、前記第１の所定量以上の増加した場合よりも前記緊急度が高いと判定することを特徴とする請求項１記載の警備装置。
【請求項３】
前記判定部は、前記所定期間の間において前記取得部にて取得する消費量が、第２の所定量以上減少した場合に、前記第２の所定量以上減少しない場合よりも前記緊急度が高いと判定することを特徴とする請求項１記載の警備装置。
【請求項４】
前記判定部は、前記所定期間の間において前記取得部にて取得する消費量が、第３の所定量以上増加又は減少した場合に、前記第３の所定量以上増加又は減少を検出しない場合よりも前記緊急度が高いと判定することを特徴とする請求項１記載の警備装置。
【請求項５】
現在時刻を計時する時計部と、
所定時間帯を記憶する記憶部とを備え、
前記判定部は、前記センサが異常を検知した時刻が前記所定時間帯に含まれていることを条件として、前記緊急度が高いと判定することを特徴とする請求項１乃至４のいずれか一項に記載の警備装置。
【発明の詳細な説明】
【技術分野】
【０００１】
本発明は、例えば、オフィスビル、マンション、戸建住宅などの各種物件の警備領域への侵入者を監視する警備装置に関するものである。
【背景技術】
【０００２】
従来、例えば、オフィスビル、マンション、戸建住宅などの各種物件の警備領域への侵入を検知するセンサを設け、警備領域への侵入者の監視を行う警備セットモードが警備モードとして設定されている間に、センサが警備領域への侵入を検知した場合に、異常と判定して遠隔地に設けられた監視センタに通信回線を介してこの旨を通報する警備装置が知られている（例えば、下記特許文献１）。
【０００３】
ところが、従来の警備装置では、警備領域において犯罪行為を行う犯罪者だけを特定してセンサが検知するとは限らず、その他の要因でもセンサが検知してしまうことがある。このため、警備装置が異常と誤判定してしまう場合がある。
【０００４】
例えば、利用者が、警備セットモードの設定を解除することを忘れた状態で警備領域に誤って進入してしまった場合には、センサが利用者を検知して警備装置が異常と誤判定してしまうことがある。
【０００５】
また、センサの誤報要因（例えば、小動物や外乱光など）によってセンサが検知した場合も、警備装置が異常と誤判定してしまうことがある。
【０００６】
この一方で、例えば、オフィスビル、マンション、戸建住宅などの各種物件において使用する電力の消費量を監視する電力監視装置が一般に知られている（例えば、下記特許文献２）。
【先行技術文献】
【特許文献】
【０００７】
【特許文献１】特開平８−３６６８５号公報
【特許文献２】特開昭６３−１３２５号公報
【発明の概要】
【発明が解決しようとする課題】
【０００８】
しかしながら、上記特許文献２に開示されるような電力監視装置が取得している電力の消費量を、上記特許文献１に開示されるような警備装置における異常判定の際に考慮に入れることは考えられていなかった。
【０００９】
そこで、本発明は上記問題点に鑑みてなされたものであり、各種物件の警備領域における電力の消費量を異常判定の際の考慮に入れることで、犯罪者によるセンサ検知とその他の要因によるセンサ検知とを区別して異常を報知することのできる警備装置を提供することを目的とするものである。
【課題を解決するための手段】
【００１０】
上記した目的を達成するために、本願請求項１に係る警備装置は、警備領域への侵入を監視するセンサが異常を検知した場合に報知する警備装置において、
前記警備領域に設置された電気機器の電気エネルギーの消費量を取得する取得部と、
前記センサが異常を検知すると、所定期間の間において前記取得部にて取得した消費量の変化に基づき前記異常の緊急度を判定する判定部と、
前記判定部にて緊急度が高いと判定した場合に、緊急度が高くない場合と区別して前記報知する出力部とを備えたことを特徴とする。
【００１１】
本願請求項２に係る警備装置は、請求項１の警備装置において、
前記判定部は、前記所定期間の間において前記取得部にて取得した消費量が、第１の所定量以上増加しない場合に、前記第１の所定量以上の増加した場合よりも前記緊急度が高いと判定することを特徴とする。
【００１２】
本願請求項３に係る警備装置は、請求項１の警備装置において、
前記判定部は、前記所定期間の間において前記取得部にて取得する消費量が、第２の所定量以上減少した場合に、前記第２の所定量以上減少しない場合よりも前記緊急度が高いと判定することを特徴とする。
【００１３】
本願請求項４に係る警備装置は、請求項１の警備装置において、
前記判定部は、前記所定期間の間において前記取得部にて取得する消費量が、第３の所定量以上増加又は減少した場合に、前記第３の所定量以上増加又は減少を検出しない場合よりも前記緊急度が高いと判定することを特徴とする。
【００１４】
本願請求項５に係る警備装置は、請求項１乃至４のいずれか一項の警備装置において、
現在時刻を計時する時計部と、
所定時間帯を記憶する記憶部とを備え、
前記判定部は、前記センサが異常を検知した時刻が前記所定時間帯に含まれていることを条件として、前記緊急度が高いと判定することを特徴とする。
【発明の効果】
【００１５】
本願請求項１に係る警備装置では、センサの検知情報だけではなく、警備領域における電気エネルギーの消費量の変化も考慮して異常の緊急度を判定し、報知するので、異常への対応者は、異常の緊急度に応じた対応を取ることができる。
【００１６】
本願請求項２に係る警備装置では、警備領域に侵入した犯罪者が利用者とは異なり電気機器の電源をＯＮしないように行動するという特性を、電気機器の電気エネルギーの消費量の変化から捉えることができるので、異常への対応者は、利用者が誤って警備領域に進入してしまった場合の異常と区別することができる。
【００１７】
本願請求項３に係る警備装置では、電源ＯＦＦを禁止する電気機器が警備領域に設置されている場合などに、電気機器を犯罪者がＯＦＦした可能性があるという緊急度の高い異常を、他の異常と区別して報知することができる。
【００１８】
本願請求項４に係る警備装置では、電気機器の電気エネルギーの消費量が変化した場合、小動物や外乱光によるセンサの誤検知の場合とは異なり、人が監視領域に侵入した可能性が高いとして緊急度が高いと判定することができる。
【００１９】
本願請求項５に係る警備装置では、所定時間帯として、例えば、犯罪者が電気機器の電源を極力ＯＮしないように行動するという特性が特に顕著に表れる夜間の時間帯を設定しておけば、緊急度を精度よく判定できる。
【図面の簡単な説明】
【００２０】
【図１】本発明に係る警備装置を含む警備システムの全体構成を示す図である。
【図２】本発明に係る警備装置の内部構成を示すブロック図である。
【図３】本発明に係る警備装置における警備セットモード設定時の動作を示すフローチャートである。
【図４】本発明に係る警備装置における第１の判定処理の動作を示すフローチャートである。
【図５】本発明に係る警備装置における第２の判定処理の動作を示すフローチャートである。
【図６】本発明に係る警備装置における第３の判定処理の動作を示すフローチャートである。
【発明を実施するための形態】
【００２１】
以下、本発明を実施するための形態について、添付した図面を参照しながら詳細に説明する。図１は本発明に係る警備装置を含む警備システムの全体構成を示す図、図２は警備装置の内部構成を示すブロック図、図３は警備装置における警備セットモード設定時の動作を示すフローチャート、図４は警備装置における第１の判定処理の動作を示すフローチャート、図５は警備装置における第２の判定処理の動作を示すフローチャート、図６は警備装置における第３の判定処理の動作を示すフローチャートである。
【００２２】
本発明は、犯罪者の行動によるセンサ検知と、利用者の行動によるセンサ検知と、誤報要因（例えば、小動物や外乱光など）によるセンサ検知とでは、それぞれセンサ検知前後における警備領域での電力消費量の変化が異なってくる点に着目してなされたものである。
【００２３】
まず、本発明に係る警備装置を含む警備システムの全体構成について説明する。警備システム１は、図１に示すように、例えば、オフィスビル、マンション、戸建住宅などの各種物件の警備対象となる警備領域Ｅに設けられるセンサ２と、電力検出装置３と、警備装置４と、この警備装置４と通信回線を介して接続される遠隔の監視センタ５とから構築される。各警備領域Ｅの警備装置４には、同一領域内のセンサ２及び電力検出装置３が接続される。また、監視センタ５には、複数の警備領域Ｅにそれぞれ設けられた警備装置４が接続される。
【００２４】
以下、警備システム１を構築するセンサ２、電力検出装置３、警備装置４、監視センタ５の各構成について説明する。
【００２５】
センサ２は、警備領域Ｅへの侵入者を検知したときに異常を検知した旨の検知信号を警備装置４へ送信する。センサ２としては、例えば扉や窓などの可動部材の移動を検知するマグネットセンサ、窓ガラスの振動を検知するガラスセンサ、赤外線の受光量の変化を検知する受動型赤外線センサ、赤外線を投受光して遮断を検知する対向式赤外線センサ、撮像した画像と基準画像とを比較して画像の変化を検知する画像センサなどの種類がある。これら公知の侵入者検出用のセンサは、警備領域Ｅの環境に適した種類のものが適宜必要な数だけ設置される。
【００２６】
電力検出装置３は、警備領域Ｅに設置された照明や空調その他の電気機器の消費電力量を測定し、測定した消費電力量の変動に応じた電力量データを警備装置４へ送信する。電力検出装置３は、例えば電力会社の電力メータであり、被測定負荷である各電気機器の電圧値及び電流値から電力消費量を測定し、電力消費量の変動に応じたパルス信号の電力量データを出力する。パルス信号の電力量データは警備装置４に入力され、警備装置４において電力量データのパルス信号数をカウントすることで警備領域Ｅにおける電力消費量が計数される。
【００２７】
この電力検出装置３としては、上記電力メータの他に、クランプ型等の電力量センサを用いて、電気機器が接続された三相３線式、単相３線式、単相２線式のフィーダの電流、電圧値を所定時間間隔毎に計測し、この計測による電力量データを警備装置４へ出力することもできる。
【００２８】
警備装置４は、図２に示すように、センサＩ／Ｆ４ａ、取得部４ｂ、通信部４ｃ、表示部４ｄ、鳴動部４ｅ、操作部４ｆ、時計部４ｇ、記憶部４ｈ、制御部４ｉを備えて構成される。
【００２９】
センサＩ／Ｆ４ａは、センサ２から送信される検知信号を警備装置４が受信するためのインターフェースである。センサＩ／Ｆ４ａは、受信した検知信号を制御部４ｉへ出力する。
【００３０】
取得部４ｂは、電力検出装置３から送信される電力量データを受信する。取得部４ｂは、受信した電力量データを電力消費量に変換して制御部４ｉに出力する。
【００３１】
通信部４ｃは、制御部４ｉの制御に基づき、通信回線を介して監視センタ５へ所定の信号を送信する。
【００３２】
表示部４ｄは、例えば液晶表示器から構成され、制御部４ｉからの制御に基づいて各種表示を行う。
【００３３】
鳴動部４ｅは、例えばスピーカで構成され、制御部４ｉからの制御に基づいて周囲に音声を出力する。なお、通信部４ｃ、表示部４ｄ、鳴動部４ｅの何れか又はその組合せは、後述する判定部１２にて警備領域Ｅへの侵入による異常の緊急度が高いと判定した場合に、異常の緊急度が高くないと判定した場合と区別して異常を報知する本願発明の出力部の例に相当するものである。
【００３４】
操作部４ｆは、利用者が警備モードの設定操作をするためのカードリーダ及び操作ボタンから構成される。操作部４ｆは、利用者が所持するカードのカード情報（暗証情報など）をカードリーダにて読み取り、このカード情報を制御部４ｉに出力する。また、操作部４ｆは、利用者が操作した操作ボタンの操作情報を制御部４ｉに出力する。
【００３５】
時計部４ｇは、現在の時刻を計時し、計時した時刻を制御部４ｉに出力する。
【００３６】
制御部４ｉは、ＣＰＵ、ＲＯＭ／ＲＡＭ等からなるマイクロコンピュータ及びその周辺回路で構成され、警備装置４の各部を統括制御する。そのために、制御部４ｉは、このマイクロコンピュータ及びマイクロコンピュータ上で実行されるコンピュータプログラムによって実現されるモジュールとして、モード設定部１１、判定部１２、及び異常処理部１３を有する。なお、上述した記憶部４ｈは、制御部４ｉが有する記憶媒体の一部として実現されてもよい。
【００３７】
モード設定部１１は、操作部４ｆから出力されたカード情報及び操作ボタンの操作情報に基づき警備モードの設定を行う。具体的に、モード設定部１１は、警備モードを所定のモード（後述する警備セットモード又は警備解除モード）に変更する旨の操作情報及びカード情報が操作部４ｆから出力されると、出力されたカード情報が記憶部４ｈに記憶されているカード情報と一致すれば、後述する警備モード記憶領域２２に記憶されている警備モードを所定のモード（後述する警備セットモード又は警備解除モード）へと上書きする。これに対し、カード情報が一致しない場合は、認証不一致の旨を表示部４ｄに表示する。
【００３８】
判定部１２は、後述する図３のフローチャートに基づく動作を実行し、センサＩ／Ｆ４ａから出力されるセンサ２の検知信号が出力されたときに異常と判定する。その際、判定部１２は、取得部４ｂから出力される電力消費量の変化に基づいて後述する図４〜図６のフローチャートに基づく判定処理を実行し、判定した異常の緊急度を判定する。
【００３９】
異常処理部１３は、判定部１２にて異常が判定されたときに、通信部４ｃを制御して警備対象の識別コードとともに異常信号を監視センタ５へ送信する。また、異常処理部１３は、判定部１２にて異常の緊急度が判定されたときに、通信部４ｃを制御して緊急度を警備対象の識別コードとともに監視センタ５へ送信する。なお、この緊急度は、後述する判定処理にて判定部１２が警備領域Ｅへの侵入による異常の緊急度「高」と判定したときのみ、警備対象の識別コードとともに監視センタ５へ送信しても良い。そして、異常処理部１３は、監視センタ５にて、緊急度「高」の異常を他の異常と区別するように出力部を制御するものであれば良い。
【００４０】
記憶部４ｈは、認証情報記憶領域２１、警備モード記憶領域２２、時間帯記憶領域２３、基準変化量記憶領域２４、判定時間記憶領域２５、電力消費量記憶領域２６を有する。以下、各記憶領域について説明する。
【００４１】
認証情報記憶領域２１は、警備モードの設定を許容する利用者が所持するカードのカード情報を記憶する。
【００４２】
警備モード記憶領域２２は、現在設定されている警備モードを記憶する。なお、警備モードには、警備領域Ｅへの侵入者の監視を行う警備セットモードと、警備領域Ｅへの侵入者の監視を行わない警備解除モードとがある。
【００４３】
時間帯記憶領域２３は、異常の緊急度の判定処理を実行する所定時間帯（後述する第１の判定処理を実行する時間帯）の情報を記憶する。
【００４４】
基準変化量記憶領域２４は、電力消費量の変化度合いを判定するための基準変化量を記憶する。
【００４５】
判定時間記憶領域２５は、異常判定時を基準として、電力消費量の変化度合いを判定する時間である所定期間の開始と終了を記憶する。具体的には、所定期間の開始及び終了が、異常判定時よりも何時間前か後か、又は異常判定時かという時間情報を記憶する。
【００４６】
電力消費量記憶領域２６は、過去に取得した電力消費量をその取得時刻と対応付けて記憶する。なお、この記憶処理は、取得部４ｂから出力される消費電力量に基づいて制御部４ｉが行う。
【００４７】
監視センタ５は、各警備装置４から送信される各種の信号を通信部５ａを介してセンタ装置５ｂにて受信する。センタ装置５ｂは、ＣＰＵ、ＲＯＭ／ＲＡＭ等からなる端末装置及びその周辺装置で構成され、受信した信号から異常に関する情報及び緊急度の情報を表示する。監視センタ５の監視員は、この表示をモニタし、緊急度等に応じて、警察に通報したり監視対象の近傍に待機する対処員に監視対象の点検をする等の指示を行うなどの対応をとる。
【００４８】
次に、上記のように構築される警備システム１における警備装置４の動作について図３〜図６のフローチャートを参照しながら説明する。
【００４９】
まず、警備装置４による警備セットモード設定時の動作について図３を参照しながら説明する。警備装置４は、モード設定部１１にて警備セットモードが設定された状態で、センサＩ／Ｆ４ａからセンサ２の検知信号が出力されたか否か、すなわち異常検知であるか否かを判別する（ＳＴ１）。そして、異常検知であると判別すると、監視対象に異常が発生した旨の異常信号を監視センタ５に送信して異常通知する（ＳＴ２）。その後、検知した異常の緊急度を判定するための判定処理として、図４〜図６のフローチャートに示す第１乃至第３のいずれか１つの判定処理を実行し（ＳＴ３）、この判定処理の結果に応じて監視センタ５に緊急度を通知する（ＳＴ４）。その後、モード設定部１１にて警備解除モードが設定されたか否かを判別する（ＳＴ５）。警備解除モード設定がされたと判別すると、処理を終了する。これに対し、警備解除モードが設定されていないと判別すると、警備セットモードの設定がそのまま継続され、ＳＴ１の処理に戻る。
【００５０】
次に、警備装置４による判定処理（第１の判定処理、第２の判定処理、第３の判定処理）の動作について図４〜図６を参照しながら説明する。
【００５１】
（第１の判定処理）
警備対象に侵入する犯罪者は、警備領域Ｅに侵入した場合に、警備領域Ｅ外にいる人に気付かれないように行動するという特性がある。具体的に、犯罪者は、警備領域Ｅ内の照明を点けることや、その他の電気機器の電源を不用意にＯＮすることを極力避けようとする。これに対し、利用者は、警備セットモードの設定を解除することを忘れ、警備領域Ｅに誤って侵入してしまった場合、何らかの行動を行うために照明や空調などをはじめとした電気機器の電源をＯＮする。つまり、異常検知した場合の電力消費量の変化度合いは、利用者よりも犯罪者の方が小さく変化するものと想定される。
【００５２】
そこで、第１の判定処理では、上記の点を考慮して、記憶部４ｈの基準変化量記憶領域２４に第１の所定量Ｗ１を記憶する。この第１の所定量Ｗ１は、利用者が警備領域Ｅに進入して活動を行う場合に最低必要な照明やその他の電気機器の電源をＯＮしたときに増加する電力消費量に略等しい値とする。そして、この所定量Ｗ１に基づき、電力消費量の変化度合いを監視する。
【００５３】
また、記憶部４ｈの時間帯記憶領域２３に「午後８時〜午前４時」を記憶する。このような夜間の時間帯を記憶するのは、日中に比べて、周囲が暗い環境の方が照明の点灯などをした場合に目立つことから、犯罪者は照明の点灯を避ける傾向が強まるのに対し、警備領域Ｅ内は暗くなることから、利用者は照明の点灯を行う傾向が強まるので、両者の行動による電力消費量の差が顕著になるということに基づいている。さらに、記憶部４ｈの判定時間記憶領域２５は、所定期間の開始を異常検知時の「３分前」、所定期間の終了を「５分後」として記憶する。
【００５４】
上記のような条件下において、第１の判定処理では、図４に示すように、まず時計部４ｇから現在時刻を取得する（ＳＴ１１）。続いて、取得した現在時刻がＴ１からＴ２の時間範囲内であるか否かを判別する（ＳＴ１２）。具体的には、取得した現在時刻がＴ１＝午後８時からＴ２＝午前４時の時間範囲内であるか否かを判別する。そして、取得した現在時刻がＴ１からＴ２の時間範囲内ではないと判別すると、第１の判定処理を終了する。これに対し、取得した現在時刻がＴ１からＴ２の時間範囲内であると判別すると、電力消費量記憶領域２６から判定開始時の電力消費量Ｗｓを取得する（ＳＴ１３）。そして、閾値ＴＨ１＝Ｗｓ＋Ｗ１を算出する（ＳＴ１４）。その後、判定終了タイマを起動する（ＳＴ１５）。続いて、現在の電力消費量Ｗｐを取得する（ＳＴ１６）。そして、現在の電力消費量Ｗｐが算出した閾値ＴＨ１以上か否かを判別する（ＳＴ１７）。
【００５５】
ここで、現在の電力消費量Ｗｐが算出した閾値ＴＨ１以上と判別すると、検知した異常は、利用者が誤って警備領域Ｅに進入したことによる可能性も含まれるため、緊急度「中」と判定する（ＳＴ１８）。その後、判定終了タイマをクリアし（ＳＴ１９）、第１の判定処理を終了する。これに対し、現在の電力消費量Ｗｐが算出した閾値ＴＨ１以上でない、言い換えれば現在の電力消費量Ｗｐが算出した閾値ＴＨ１未満と判別すると、現在時刻がＴ２になって判定終了か否かを判別する（ＳＴ２０）。そして、現在時刻がＴ２になって判定終了であると判別すると、検知した異常は、犯罪者が警備領域Ｅに侵入した可能性が高いため、緊急度「高」と判定する（ＳＴ２１）。その後、判定終了タイマをクリアし（ＳＴ１９）、第１の判定処理を終了する。これに対し、現在時刻がＴ２にならず判定終了でないと判別すると、ＳＴ１６の処理に戻る。
【００５６】
（第２の判定処理）
第２の判定処理は、警備領域Ｅ内に電源ＯＦＦしてはならない電気機器がある場合（例えば、発電所や浄水施設など）に、特に好適な処理である。このような警備領域Ｅにおける犯罪者は、利用者とは異なって、電気機器を故意にＯＦＦすることが考えられる。つまり、異常検知した場合の電力消費量の変化度合いは、利用者よりも犯罪者の方が大きく変化するものと想定される。
【００５７】
そこで、第２の判定処理では、上記の点を考慮して、記憶部４ｈの基準変化量記憶領域２４に第２の所定量Ｗ２を記憶する。この第２の所定量Ｗ２は、電源ＯＦＦしてはならない電気機器をＯＮからＯＦＦしたときの電力量の変動量よりも小さな値とする。そして、この所定量Ｗ２に基づき電力消費量の変化度合いを監視する。
【００５８】
また、記憶部４ｈの判定時間記憶領域２５は、所定期間の開始を「３分後」、所定期間の終了を「１０分後」として記憶する。これは、建物屋外の敷地も警備領域Ｅとなっており、敷地の外周も対向式の赤外線センサなどで侵入者の監視を行っていることを想定したものである。
【００５９】
そして、所定時間の開始は、犯罪者が、この赤外線センサによって検知されてから建物内部に入り、電源ＯＦＦしてはならない電気機器の電源をＯＦＦするまでには、早くても３分はかかることを考慮したものとなっている。
【００６０】
上記のような条件下において、第２の判定処理では、図５に示すように、まず現在時刻が判定開始時間であるか否かを判別する（ＳＴ３１）。現在時刻が判定開始時間であると判別すると、現在の電力消費量Ｗｐを取得する（ＳＴ３２）。続いて、閾値ＴＨ２＝ＷｐーＷ２を算出する（ＳＴ３３）。そして、判定終了タイマを起動する（ＳＴ３４）。その後、現在の電力消費量Ｗｐを取得する（ＳＴ３５）。そして、現在の電力消費量Ｗｐが算出した閾値ＴＨ２より大きいか否かを判別する（ＳＴ３６）。
【００６１】
ここで、現在の電力消費量Ｗｐが算出した閾値ＴＨ２より大きくない、言い換えれば現在の電力消費量Ｗｐが算出した閾値ＴＨ２以下と判別すると、検知した異常は、犯罪者が警備領域Ｅに侵入したことによる可能性が高いため、緊急度「高」と判定する（ＳＴ３７）。そして、判定終了タイマをクリアし（ＳＴ３８）、第２の判定処理を終了する。これに対し、現在の電力消費量Ｗｐが算出した閾値ＴＨ２より大きいと判別すると、現在時刻が判定終了時間となって判定終了であるか否かを判別する（ＳＴ３９）。そして、現在時刻が判定終了時間となって判定終了であると判別すると、検知した異常は、利用者が誤って警備領域Ｅに進入したことによる可能性を含むため、緊急度「中」と判定する（ＳＴ４０）。そして、判定終了タイマをクリアし（ＳＴ３８）、第２の判定処理を終了する。現在時刻が判定終了時間とならず判定終了でないと判別すると、ＳＴ３５の処理に戻る。
【００６２】
（第３の判定処理）
第３の判定処理は、利用者が警備領域Ｅに進入することが滅多になく、利用者によって警備装置４が異常を判定してしまうことをほとんど考慮しなくてもよい警備領域Ｅに対し、特に好適な処理である。
【００６３】
第３の判定処理では、上記のような警備領域Ｅにおいて、電気機器の電源がＯＮ又はＯＦＦされて電力消費量に変動があった場合、犯罪者によるものと判断してよいということを考慮したものとなっている。
【００６４】
また、第３の判定処理は、センサ２の誤報要因である小動物や外乱光などによる異常の場合、警備領域Ｅ内の電気機器が電源ＯＮ又はＯＦＦされることはない点も考慮したものである。これらの点を考慮すると、異常検知した場合の電力消費量の変化度合いは、誤報要因よりも犯罪者の方が大きく変化するものと想定される。
【００６５】
そこで、第３の判定処理では、上記の点を考慮して、記憶部４ｈの基準変化量記憶領域２４に第３の所定量Ｗ３を記憶する。この第３の所定量Ｗ３は、電源を常時ＯＮしている電気機器をＯＮしている場合に消費する電力量の変動量を考慮し、この変動量にあそびを加えた値とする。そして、この所定量Ｗ３に基づき電力消費量の変化度合いを監視する。
【００６６】
また、記憶部４ｈの判定時間記憶領域２５は、所定期間の開始を「５分前」、所定期間の終了を「１分前」として記憶する。これは、警備領域Ｅとしての建物内部の一部の領域だけ（例えば、金庫が設置してある部屋だけなど）にセンサ２を設置している場合に、犯罪者が建物内部に侵入してからセンサ２を設置している領域に更に侵入して異常が判定されるまでに、照明などの電気機器をＯＮする可能性があることを考慮したものである。
【００６７】
上記のような条件下において、第３の判定処理では、図６に示すように、まず判定開始時の電力消費量Ｗｓ、判定終了時の電力消費量Ｗｅを電力消費量記憶領域２６から取得する（ＳＴ５１）。そして、Ｗｅ−Ｗｓの絶対値がＷ３より大きいか否かを判別する（ＳＴ５２）。Ｗｅ−Ｗｓの絶対値がＷ３より大きいと判別すると、検知した異常は、犯罪者が警備領域Ｅに侵入したことによる可能性が高いため、緊急度「高」と判定し（ＳＴ５３）、第３の判定処理を終了する。Ｗｅ−Ｗｓの絶対値がＷ３より大きくない、すなわちＷｅ−Ｗｓの絶対値がＷ３以下と判別すると、検知した異常は、誤報要因による可能性を含むため、緊急度「高」の判定はせずに第３の判定処理を終了する。
【００６８】
このように、本実施の形態の警備装置４は、電力消費量の変化を用いて警備領域Ｅにおける異常の緊急度を判定している。すなわち、警備装置４は、センサ２の検知情報だけではなく、警備領域Ｅにおける電気エネルギーの消費量の変化をも考慮して警備領域Ｅにおける異常の緊急度を判定し、報知するので、異常への対応者は、異常の緊急度に応じた対応を取ることができる。
【００６９】
また、本実施の形態の警備装置４によれば、実行する判定処理（第１の判定処理、第２の判定処理、第３の判定処理）に応じて以下に説明するような効果を奏する。
【００７０】
まず、警備装置４は、第１の判定処理（図４参照）の実行により、電力量が上昇しない場合は警備領域Ｅにおける異常の緊急度が高いと判定している。これにより、警備装置４は、警備領域Ｅに侵入した犯罪者が利用者とは異なり電気機器の電源をＯＮしないように行動するという特性を、消費量の変化から捉えることができるので、異常への対応者は、犯罪者が侵入した可能性が高い異常を他の異常と区別することができる。
【００７１】
そして、警備装置４は、犯罪者が電気機器の電源を極力ＯＮしないように行動するという特性が特に顕著に表れる夜間の時間帯に所定時間帯を設定し、上記第１の判定処理を深夜の時間帯に行えば、さらに緊急度を精度よく判定できる。
【００７２】
また、警備装置４は、第２の判定処理（図５参照）の実行により、電力量が下降した場合は警備領域Ｅへの犯罪者の侵入による異常の緊急度が高いと判定している。これにより、警備装置４は、電源ＯＦＦを禁止する電気機器が警備領域Ｅに設置されている場合などに、この電気機器を犯罪者がＯＦＦした可能性があるという緊急度の高い異常を、他の異常と区別して報知することができる。
【００７３】
さらに、警備装置４は、第３の判定処理（図６参照）の実行により、通常の微弱な変化以上に電力消費量が変化した場合に警備領域Ｅにおける異常の緊急度が高いと判定している。これにより、警備装置４は、電力消費量が変化した場合に、小動物や外乱光によるセンサ２の誤検知の場合とは異なり、人が監視領域Ｅに侵入した可能性が高いとして緊急度が高いと判定することができる。
【００７４】
なお、本実施の形態においては、電力消費量の変化度合いを監視するための処理を、現在の電力消費量と所定量とを比較することで行っていたが、これに限られるものではない。例えば、判定開始から判定終了までにおける消費電力を積算した積算値と所定量とを比較することで変化度合いを監視するようにしても良い。
【００７５】
また、第１の判定処理同様、第２、第３の判定処理においては、犯罪者の侵入する可能性の低い時間帯を除く時間帯に所定時間帯を設定するようにしても良い。
【符号の説明】
【００７６】
１  警備システム
２  センサ
３  電力検出装置
４  警備装置
４ａ  センサＩ／Ｆ
４ｂ  取得部
４ｃ  通信部
４ｄ  表示部
４ｅ  鳴動部
４ｆ  操作部
４ｇ  時計部
４ｈ  記憶部
４ｉ  制御部
５  監視センタ
１１  モード設定部
１２  判定部
１３  異常処理部
２１  認証情報記憶領域
２２  警備モード記憶領域
２３  時間帯記憶領域
２４  基準変化量記憶領域
２５  判定時間記憶領域
２６  電力消費量記憶領域
Ｅ  警備領域
【図１】
2011180696.tif 000003
【図２】
2011180696.tif 000004
【図３】
2011180696.tif 000005
【図４】
2011180696.tif 000006
【図５】
2011180696.tif 000007
【図６】
2011180696.tif 000008